(57)【特許請求の範囲】
【請求項１】
回転自在なロータに作用して該ロータを回転させる超音波アクチュエータにおいて、
前記ロータに一端が接し途中に折れ曲がった角部を有しさらに延在して他端側が固定された板状の振動子と、
前記振動子の、前記一端と前記角部との間の一部分に接触し、交流電圧の印加を受けて振動して該振動を前記振動子に伝える圧電素子とを備えたことを特徴とする超音波アクチュエータ。
【請求項２】
前記圧電素子が、前記振動子の、前記一端と前記角部との間の一部分を挟んで複数設けられたことを特徴とする請求項１記載の超音波アクチュエータ。
【請求項３】
前記振動子が金属板であって、複数の圧電素子それぞれの一方の電極を兼ねるものであることを特徴とする請求項２記載の超音波アクチュエータ。
【請求項４】
前記振動子の、前記一端側の一部分が、該一部分を除く部分よりも狭幅に形成されてなることを特徴とする請求項１記載の超音波アクチュエータ。
【発明の詳細な説明】
【技術分野】
【０００１】
本発明は、回転自在なロータに作用して、そのロータを回転させる超音波アクチュエータに関する。
【背景技術】
【０００２】
近年、携帯電話などの小型機器に、被写体を撮影する撮影装置を内蔵することが広範に行われている。日ごろから常に携帯している小型機器に撮影装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話やパーソナルコンピュータなどに送ることができるという利点もある。
【０００３】
しかし、携帯電話などといった小型機器に内蔵される撮影装置は、通常のデジタルカメラと比較してかなり小型なために、レンズやＣＣＤ（Ｃｈａｒｇｅ  Ｃｏｕｐｌｅ  Ｄｅｖｉｃｅ）撮像素子（以下、「撮像素子」は省略する）等の大きさや、それらを収納するスペースが大幅に制限される。このため、これらの小型機器は、デジタルカメラの代替機器として用いられるには撮影機能や撮影画像の画質等が不十分であり、メモ替わりに画像を得る場合や、携帯電話等の待ち受け画面用の画像を得る場合などのように、高画質を要求されない撮影用に用途が限定されることが多い。
【０００４】
これらの点に関し、近年では、画素数の多い小型ＣＣＤや、これに対応した小型レンズなどが開発されてきており、小型機器を使って撮影される撮影画像の高画質化が急速に進んでいる。残る課題である撮影機能の充実においては、特に、これらの小型機器に、デジタルカメラには標準的に搭載されているオートフォーカス機能やズーム機能が搭載されることが望まれている。
【０００５】
オートフォーカス機能やズーム機能は、モータの回転を利用し、レンズを光軸に沿う方向に移動させることによって実現されることが一般的である。通常、レンズを駆動するモータとしては、磁場によってロータを回転させる電磁モータが利用されることが多いが、電磁モータは消費電力が大きく、比較的大型であるため、撮影装置内に搭載しようとすると、撮影装置全体の大きさや重量が大幅に増加してしまううえ、通常の撮影機能を実行する電力に加えて、電磁モータを駆動するのに十分な電力を確保する必要が生じる。したがって、電磁モータを利用したオートフォーカス機能やズーム機能は、小型化および軽量化が求められている携帯電話などには搭載することが困難である。
【０００６】
この点に関し、特許文献１および特許文献２には、電磁モータの替わりに圧電を用いたアクチュエータを使ってレンズを移動させる撮影装置について記載されており、特許文献３および特許文献４には、圧電を用いたアクチュエータの基本的な構成について記載されている。
【０００７】
図１は、圧電を用いた超音波アクチュエータ１０の概略構成図であり、図２は、超音波アクチュエータ１０の動作原理を説明するための図である。
【０００８】
図１に示すように、超音波アクチュエータ１０には、電圧の印加を受けて振動する圧電素子１１、圧電素子１１の振動を受けて歪む弾性振動体１２、弾性振動体１２の歪みの応力によって回転するロータ１３、圧電素子１１および弾性振動体１２を支持する支持部材１４、弾性振動体１２をロータ１３に向けて付勢するばね１５、およびばね１５を弾性振動体１２に押し当てる押当板１６が備えられている。
【０００９】
図２に示すように、弾性振動体１２は、２枚の圧電素子１１ａ，１１ｂに挟まれており、例えば、圧電素子１１ａ，１１ｂそれぞれに同じ位相の交流電圧が印加されると、それら圧電素子１１ａ，１１ｂが同じ方向に伸縮して弾性振動体１２が変形し、弾性振動体１２の先端がロータ１３に押し付けられることによって、弾性駆動体１２の先端が楕円を描いて駆動され、ロータ１３が矢印Ａ方向に回転されることとなる。
【００１０】
このような圧電を用いた超音波アクチュエータを撮影装置に搭載することによって、電磁モータよりも少ない電力でレンズを駆動することができ、さらに、撮影装置の軽量化や、レンズ駆動の静音化を図ることができる。
【特許文献１】特開２００４−２９４７５９号公報
【特許文献２】特開２００４−２９４５８０号公報
【特許文献３】特開２００５−２１８１７９号公報
【特許文献４】特開２００３−１９９３７１号公報
【発明の開示】
【発明が解決しようとする課題】
【００１１】
ところで、弾性振動体の歪みとしては、弾性振動体が伸縮する縦振動と、弾性振動体が波打つように屈曲する屈曲振動と、縦振動と屈曲振動とが結合された結合振動とが知られており、ロータを高速に回転させるためには、弾性振動体を結合振動させることが好ましい。しかし、上述した特許文献３および特許文献４に記載された技術などによると、弾性振動体を結合振動させるために、複数の圧電素子それぞれに相互に異なる位相の交流電圧を印加する必要があり、電圧制御が複雑化してしまうという問題がある。
【００１２】
また、従来の圧電を用いた超音波アクチュエータでは、弾性振動体１２を支持する支持部材１４に加えて、弾性振動体１２をロータ１３に押し付けるばね１５や押当板１６などといった予圧機構が必要となる。特に、予圧機構は、弾性振動体１２の歪みには直接的には関係しない部品であるにも関わらず、それ以外の部分と同等のスペースを占めてしまっており、超音波アクチュエータの小型化におけるネックとなってしまっている。
【００１３】
以上のようなことから、圧電型の超音波アクチュエータを上述したような携帯電話用の撮影装置などに搭載するためには、超音波アクチュエータのさらなる小型化や、電圧制御の簡略化などが要求される。
【００１４】
また、このような問題は、撮影装置のみに限られた問題ではなく、電圧の印加を受けて駆動する超音波アクチュエータを用いる分野一般で生じる問題である。
【００１５】
本発明は、上記事情に鑑み、小型で電圧制御が容易な超音波アクチュエータを提供することを目的とする。
【課題を解決するための手段】
【００１６】
上記目的を達成する本発明の超音波アクチュエータは、回転自在なロータに作用してロータを回転させる超音波アクチュエータにおいて、
ロータに一端が接し途中に折れ曲がった角部を有しさらに延在して他端側が固定された板状の振動子と、
振動子の、上記一端と上記角部との間の一部分に接触し、交流電圧の印加を受けて振動してその振動を振動子に伝える圧電素子とを備えたことを特徴とする。
【００１７】
本発明の超音波アクチュエータによると、板状の振動子の固定された側の端（他端側）によって圧電素子が支持され、その固定された側の端（他端側）と角部との間の部分の弾性によって、ロータと接触する側の端（一端側）がロータに押し付けられる。このため、図１に示す支持部材１４や、ばね１５や押当板１６といった予圧機構が不要となり、超音波アクチュエータ全体を小型化することができる。また、本発明の超音波アクチュエータによると、圧電素子に交流電圧が印加されると、振動子が交流電圧の位相に応じた方向に歪んで、その歪みの一部の方向が角部で変換され、それら複数方向の歪みが結合されてロータに伝達される。したがって、圧電素子に単相の交流電圧を印加するだけで、上述した結合振動を実現することができ、電圧制御を簡略化することができる。
【００１８】
また、本発明の超音波アクチュエータにおいて、上記圧電素子が、振動子の、上記一端と上記角部との間の一部分を挟んで複数設けられたことが好ましい。
【００１９】
圧電素子が振動子を挟んで複数設けられることによって、装置の大型化を抑えて、振動子を大きく歪ませることができ、ロータを高速に回転させることができる。
【００２０】
また、本発明の超音波アクチュエータにおいて、上記振動子が金属板であって、複数の圧電素子それぞれの一方の電極を兼ねるものであることが好適である。
【００２１】
本発明の好適な超音波アクチュエータによると、振動子が圧電素子に電圧を印加する電極を兼ねるため、装置を小型化することができる。
【００２２】
また、本発明の超音波アクチュエータにおいて、振動子の、上記一端側の一部分が、その一部分を除く部分よりも狭幅に形成されてなることが好ましい。
【００２３】
振動子の、ロータと接触する側の一部分が狭幅に形成されることによって、振動子の歪みが効率よくロータに伝達され、ロータを確実に回転させることができる。
【発明の効果】
【００２４】
本発明によれば、小型で電圧制御が容易な超音波アクチュエータを提供することができる。
【発明を実施するための最良の形態】
【００２５】
まず、上述した従来の圧電を用いた超音波アクチュエータの問題点について詳しく分析する。
【００２６】
図３は、従来の超音波アクチュエータの動作原理を説明するための図である。
【００２７】
図３に示す超音波アクチュエータ２００は、基本的には、金属製の振動板２２０と、振動板２２０を挟んだ２枚の圧電素子２１０と、圧電素子２１０に電圧を印加するための電極２１１とで構成されている。圧電素子２１０は、振動板２２０と直交する厚さ方向（矢印Ｂ方向）に分極されており、振動板２２０は、圧電素子２１０の振動を受けて歪む振動体としての役割と、電極２１１の対向電極としての役割とを兼ねている。実際には、超音波アクチュエータ２００には、図３に示す各種部品の他にも、圧電素子２１０や振動板２２０を支持する支持部材や、振動板２２０を駆動対象物に押し付ける予圧機構などが備えられており、全体としては、本発明の超音波アクチュエータ（後述する）と比較して大型である。
【００２８】
図４は、振動板２２０の歪みの方向を示す図であり、図５は、振動板２２０の共振周波数を示すグラフである。
【００２９】
圧電素子２１０に電圧を印加すると、その印加電圧の位相に応じて、振動板２２０に、図４（Ａ）に示すような伸縮方向の歪み（縦振動：Ｌ−ｍｏｄｅ）や、図４（Ｂ）に示すような曲げ方向の歪み（屈曲振動：Ｂ−ｍｏｄｅ）が発生する。
【００３０】
図５は、横軸が振動板２２０の長さを示し、縦軸が振動板２２０の共振周波数を示している。振動板２２０の共振周波数は、振動板２２０の振動方向（縦振動：Ｌ−ｍｏｄｅ、屈曲振動：Ｂ−ｍｏｄｅ）によって異なり、振動板２２０の長さＸによっても変化する。図５では、振動板２２０の長さＸ´のときに、縦振動の共振周波数ｆＬと屈曲振動の共振周波数ｆＢとが交わっている（縮退）。
【００３１】
図３に示す超音波アクチュエータ２００を効率よく駆動させるためには、振動板２２０に、縦振動の共振周波数ｆＬと屈曲振動の共振周波数ｆＢとを近接させた共振周波数ｆ´の振動を印加して、縦振動と屈曲振動とを発生させることが好ましい。しかし、２枚の圧電素子２１０それぞれによって、振動板２２０に共振周波数ｆ´で同じ振動を印加しても、超音波アクチュエータ２００の形状の対称性から、２枚の圧電素子２１０それぞれの振動によって発生する振動板２２０の曲げ方向の歪みがキャンセルされてしまい、結局は、振動板２２０が伸縮方向にのみ歪んでしまう。このため、振動板２２０を伸縮方向と曲げ方向の両方向に歪ませるためには、２枚の圧電素子２１０に印加される電圧の位相や大きさを個別に制御する必要があり、電圧制御が複雑化してしまうという問題がある。
【００３２】
本発明は、上記のような詳しい分析に基づいたものである。
【００３３】
以下、図面を参照して本発明の実施の形態を説明する。
【００３４】
図６は、本発明の一実施形態である超音波アクチュエータの概略構成図である。
【００３５】
図６に示すように、超音波アクチュエータ１００には、交流電圧の印加を受けて振動する２枚の圧電素子１１０と、圧電素子１１０に交流電圧を印加するための電極１１１と、角部１２０ａでＬ字形に折れ曲がり、上足１２１がロータ１３０と接触し、下足１２２が固定された振動板１２０と、回転駆動されるロータ１３０とが備えられている。振動板１２０は、本発明にいう振動子の一例にあたり、ロータ１３０は、本発明にいうロータの一例に相当する。また、圧電素子１１０は、本発明にいう圧電素子の一例に相当する。
【００３６】
図７は、振動板１２０および圧電素子１１０の拡大図であり、図８は、圧電素子１１０の分極方向を示す図である。
【００３７】
本実施形態においては、振動板１２０は、ステンレス（例えば、ＳＵＳ３０４）で構成されており、圧電素子１１０は、圧電セラミクス（例えば、ＰＺＴ）で構成されている。尚、これら振動板１２０や圧電素子１１０を構成する材料は、これらには限らない。
【００３８】
振動板１２０は、上足１２１の、ロータ１３０と接触する接触部分１２１ａが狭幅に形成されている。また、２枚の圧電素子１１０は、振動板１２０の上足１２１を挟んで配置されており、金属製の振動板１２０が、圧電素子１１０の振動を受けて歪む振動体と、２枚の圧電素子１１０に備えられた２つの電極１１１それぞれに対する対向電極とを兼ねている。このように、振動板１２０が、振動体と対向電極とを兼ねることによって、超音波アクチュエータ１００を小型化することができる。
【００３９】
図８に示すように、２枚の圧電素子１１０は、厚さ方向（矢印Ｃ方向）にそれぞれ分極されており、それら２枚の圧電素子１１０に、同じ位相、同じ大きさ、同じ周波数の交流電圧が印加される。
【００４０】
図９および図１０は、振動板１２０に発生する歪みの方向を示す図である。
【００４１】
２枚の圧電素子１１０に交流電圧が印加されると、圧電素子１１０が励振し、振動板１２０の上足１２１に歪みが発生する。振動板１２０の上足１２１は、下足１２２の弾性によって図６に示すロータ１３０に押し付けられており、振動板１２０で発生した歪みは確実にロータ１３０に伝達される。このように、振動板１２０をＬ字に折り曲げることによって、圧電素子１１０を支持する支持部材や、振動板１２０をロータ１３０に押し付ける予圧機構が不要となり、部品数を減少させて製造コストを抑えることができるとともに、超音波アクチュエータ１００を大幅に小型化することができる。
【００４２】
また、上足１２１で発生した歪みの一部は、角部１２０ａによって方向が変換される。その結果、振動板１２０には、複数方向の歪みが発生し、それら複数方向の歪みが結合されてロータ１３０に伝達される。尚、図９および図１０に示す振動板１２０の振動モードの次数は一例であり、振動板１２０の長さを変えることなどによって調整することができる。
【００４３】
図１１は、振動板１２０の共振周波数を示すグラフである。
【００４４】
図１１は、横軸が振動板１２０の上足１２１の長さＸを示し、縦軸が振動板１２０の共振周波数を示している。
【００４５】
本実施形態の超音波アクチュエータ１００は、図３に示す従来の超音波アクチュエータ２００と比較して、振動板１２０がＬ字形状に折れ曲がっていることによって形状の対称性が失われており、縦振動が発生すると、その縦振動の一部が屈曲振動に変換され、逆に、屈曲振動が発生すると、その屈曲振動の一部が縦振動に変換される。このように、超音波アクチュエータ１００では、常に２つの振動が混在している。
【００４６】
図１１に示すように、本実施形態の超音波アクチュエータ１００では、縦振動（Ｌ−ｍｏｄｅ）の共振周波数と、屈曲振動（Ｂ−ｍｏｄｅ）の共振周波数とが一致することはなく、それら２つの振動の共振周波数が近づく領域Ｒにおいて、縦振動のグラフ上で屈曲振動のグラフに最も近づくときの最近共振周波数ｆＬｏｗと、屈曲振動のグラフ上で縦振動のグラフに最も近づくときの最近共振周波数ｆＨｉｇｈとが存在する。
【００４７】
例えば、２枚の圧電素子１１０に、図１１に示す縦振動（Ｌ−ｍｏｄｅ）のグラフ上の最近共振周波数ｆＬｏｗを有する交流電圧が印加されると、振動板１２０は、主に伸縮方向に歪んで縦振動（Ｌ−ｍｏｄｅ）を発生し、その縦振動が角部１２０ａで曲げ方向の歪みに変換されて、屈曲振動（Ｂ−ｍｏｄｅ）が発生する。これら縦振動と屈曲振動が振動板１２０の先端部１２１で結合され、図９に示すように、振動板１２０の伸縮に振動板１２０自体の屈曲も加わった合力Ｔによってロータ１３０が回転される。
【００４８】
また、２枚の圧電素子１１０に、図１１に示す屈曲振動（Ｂ−ｍｏｄｅ）のグラフ上の最近共振周波数ｆＨｉｇｈを有する交流電圧が印加されると、振動板１２０は、主に曲げ方向に歪んで屈曲振動（Ｂ−ｍｏｄｅ）を発生し、その屈曲振動が角部１２０ａで伸縮方向の歪みに変換されて、縦振動（Ｌ−ｍｏｄｅ）が発生する。これら縦振動と屈曲振動が振動板１２０の先端部１２１で結合されることにより、図１０に示すように、図９とは逆方向の合力Ｔ´によってロータ１３０が回転される。
【００４９】
図１２は、ロータ１３０を正方向に回転させる動作原理を示す図である。
【００５０】
例えば、最近共振周波数ｆＬｏｗを有する交流電圧を印加して圧電素子１１０を振動させると、振動板１２０の歪みの振幅は徐々に大きくなる。振動板１２０の曲げ変位が上方向に最大、伸縮変位が０に近づくと、振動板１２０の接触部分１２１ａがロータ１３０と接触する（図１２のステップＳ１１）。このとき、伸縮速度が伸び方向に最大となる。
【００５１】
続いて、振動板１２０が伸び、接触部分１２１ａがロータ１３０の外周を突っつくことにより、ロータ１３０に回転トルクを与える。その結果、ロータ１３０が矢印Ｍ方向に回転する（図１２のステップＳ１２）。このとき、伸縮変位が最大、曲げ変位が０付近、下向きの速度が最大となる。
【００５２】
振動板１２０が最大に伸びると、振動板１２０は縮む方向に変位するが、下向きの曲げ変位が生じており、接触部分１２１ａはロータ１３０から離れる。（図１２のステップＳ１３）。このとき、伸縮変位が０、曲げ変位が下方向に最大、縮み方向の速度が最大となる。
【００５３】
振動板１２０が最も縮んだ状態では、振動板１２０はステップＳ１１とは逆方向に伸縮しているが、接触部分１２１ａはロータ１３０から離れているため、接触部分１２１ａがロータ１３０の回転を妨げず、ロータ１３０は慣性で回転し続ける（図１２のステップＳ１４）。
【００５４】
以上のようにして、ロータ１３０が正方向（矢印Ｍ方向）に回転される。
【００５５】
図１３は、ロータ１３０を副方向に回転させる動作原理を示す図である。
【００５６】
図１２とは逆に、最近共振周波数ｆＨｉｇｈを有する交流電圧を印加して圧電素子１１０を振動させると、振動板１２０の伸縮変位が伸び方向に最大のときは、曲げ変位によって振動板１２０の接触部分１２１ａがロータ１３０とは接触しない（図１３のステップＳ２１）。このとき、伸縮方向の変位が最大、曲げ変位が０付近、上向きの速度が最大となる。
【００５７】
続いて、振動板１２０が縮み、接触部分１２１ａがロータ１３０の外周を手招きするようにこすることにより、ロータ１３０に回転トルクを与える。その結果、ロータ１３０が矢印Ｍ´方向に回転する（図１３のステップＳ２２）。このとき、伸縮変位が０、屈曲変位が０、縮み方向の速度が最大となる。
【００５８】
曲げ方向の変位が上方向に最大となるときには、伸縮変位が最小となり、接触部分１２１ａはロータ１３０から離れる。（図１３のステップＳ２３）。このとき、伸縮変位は最小、屈曲変位は上方向に最大となる。
【００５９】
曲げ方向の変位が下方向に最大となるときには、伸縮変位が最大に近づくが、接触部分１２１ａはロータ１３０から離れているため、接触部分１２１ａがロータ１３０の回転を妨げず、ロータ１３０は慣性で回転し続ける（図１３のステップＳ２４）。
【００６０】
以上のようにして、ロータ１３０が副方向（矢印Ｍ´方向）に回転される。
【００６１】
図１４は、２つの結合振動における振動板１２０の速度を示すグラフである。
【００６２】
図１４は、横軸が圧電素子１１０へ印加する交流電圧の周波数を示し、縦軸が振動板１２０の移動速度を示している。
【００６３】
有限要素法解析結果によると、本実施形態の超音波アクチュエータ１００では、交流電圧の周波数がｆ２（５６７．９ｋＨｚ）のときに、伸縮方向の速度ＭＬおよび曲げ方向の速度ＭＢが、ロータ１３０を図１２に示す正方向に回転させる方向に最大となり、交流電圧の周波数がｆ１（５１８．５ｋＨｚ）のときに、伸縮方向の速度ＳＬおよび屈曲方向の速度ＳＢが、ロータ１３０を図１３に示す副方向に回転させる方向に最大となった。
【００６４】
このように、本実施形態の超音波アクチュエータ１００によると、２枚の圧電素子１１０それぞれに同じ交流電圧（大きさ、位相、周波数）を単純に印加するだけで、振動板１２０に屈曲振動と縦振動との両方が発生するため、簡略な電圧制御でロータ１３０を高速に回転させることができる。また、圧電素子１１０に印加する交流電圧の周波数を２つの最近共振周波数ｆＨｉｇｈ、ｆＬｏｗに切り替えることによってロータ１３０の回転方向を変えることができ、ロータ１３０を効率よく回転させることができる。
【００６５】
ここで、上記では、本発明の２枚の圧電素子を備えた超音波アクチュエータについて説明したが、本発明の超音波アクチュエータは、３枚以上の圧電素子を備えたものであってもよく、また、１枚の圧電素子を備えたものであってもよい。
【００６６】
また、上記では、Ｌ字に曲がった振動板を備えた超音波アクチュエータについて説明したが、本発明の超音波アクチュエータは、２つ以上の角を有する振動子を備えたものであってもよい。
【００６７】
また、上記では、圧電素子の電極を兼ねた金属製の振動板を備えた超音波アクチュエータについて説明したが、本発明の超音波アクチュエータは、例えば、プラスチック製の振動子を用いて、その振動子とは別に、圧電素子に電圧を印加するための電極を備えたものであってもよい。
【図面の簡単な説明】
【００６８】
【図１】超音波アクチュエータの概略構成図である。
【図２】超音波アクチュエータの動作原理を説明するための図である。
【図３】従来の超音波アクチュエータの動作原理を説明するための図である。
【図４】振動板の歪みの方向を示す図である。
【図５】振動板の共振周波数を示すグラフである。
【図６】本発明の一実施形態である超音波アクチュエータの概略構成図である。
【図７】振動板および圧電素子拡大図である。
【図８】圧電素子の分極方向を示す図である。
【図９】振動板に発生する歪みの方向を示す図である。
【図１０】振動板に発生する歪みの方向を示す図である。
【図１１】振動板の共振周波数を示すグラフである。
【図１２】ロータを正方向に回転させる動作原理を示す図である。
【図１３】ロータを副方向に回転させる動作原理を示す図である。
【図１４】２つの結合振動における振動板の速度を示すグラフである。
【符号の説明】
【００６９】
１０    超音波アクチュエータ
１１    圧電素子
１２    弾性振動体
１３    ロータ
１４    支持部材
１５    ばね
１６    押当板
１００    超音波アクチュエータ
１１０    圧電素子
１１１    電極
１２０    振動板
１２０ａ    角部
１２１    上足
１２２    下足
１３０    ロータ
【図１】
0004767726.tif 000002
【図２】
0004767726.tif 000003
【図３】
0004767726.tif 000004
【図４】
0004767726.tif 000005
【図５】
0004767726.tif 000006
【図６】
0004767726.tif 000007
【図７】
0004767726.tif 000008
【図８】
0004767726.tif 000009
【図９】
0004767726.tif 000010
【図１０】
0004767726.tif 000011
【図１１】
0004767726.tif 000012
【図１２】
0004767726.tif 000013
【図１３】
0004767726.tif 000014
【図１４】
0004767726.tif 000015